(57)【特許請求の範囲】
【請求項１】
ゴム等の衝撃吸収材料から有底円筒状に形成されランプが挿入されることによりその基端部を被う緩衝部材と、前記緩衝部材が嵌入され該緩衝部材を介して前記ランプを保持する比較的硬質の合成樹脂製またはセラミック製の固定部材とからなり、前記固定部材の底部にはプリント基板に貫設された係合孔へ配線パターン側から嵌入固定するための係合部を設けたことを特徴とするランプ用コネクタ。
【請求項２】
前記固定部材の外周面に、前記プリント基板への取付時に指先が掛かる平坦面を設けた請求項１記載のランプ用コネクタ。
【発明の詳細な説明】
【０００１】
【産業上の利用分野】
本発明は、パチンコ機の遊技盤面における役物等に取り付けられ発光動作を行うランプ、特に該ランプをプリント基板に接続するためのランプ用コネクタに関するものである。
【０００２】
【従来の技術】
従来、この種のランプ用コネクタは、ゴム製で有底円筒状から形成され、ランプの基端部に一体に嵌着される。また、プリント基板にはハンダ付けにより接続ピンを突設し、該接続ピンに前記ランプ用コネクタを嵌め込むことによってランプをプリント基板に固定するようにしていた。しかるに、前記ランプ用コネクタでは、プリント基板に接続ピンをハンダ付けにより固定する必要が有ることから、これら組付作業に手間と時間が掛かり、このためコスト的にも高価なものになるといった問題が有った。
【０００３】
しかも、前記接続ピンを固定したプリント基板はパチンコ機の組み付けまでの間保管されるが、接続ピンが突出しているためこれらプリント基板を単純に積み重ねて保管することは難しく、勢い大きな保管スペースを要するといった問題も有った。
【０００４】
そこで、上記問題点を解決するため硬質の合成樹脂によって形成されたランプ用コネクタが考案されている。この考案によれば、ランプ用コネクタの下部に係合部を設けており、また、プリント基板側に係合孔を貫設し、前記係合部を係合孔へ嵌入することによりランプをプリント基板に固定するようにしている。
【０００５】
よって、前記従来例の如きプリント基板に接続ピンを突設する必要がないものの、ランプ用コネクタが硬質の合成樹脂からなるので、役物に打球が衝突すると、その衝撃が直接ランプに加わり、これによってフィラメントが切れたりランプが破損するなどの故障が起き易いという問題が有った。
それ故、本発明は前記両問題点を解決すべくなされたもので、プリント基板に接続ピンを逐一ハンダ付する作業が不要となる上に、打球等による衝撃にも強いランプ用コネクタを提供することを目的とするものである。
【０００６】
かかる目的を達成するため、本発明のランプ用コネクタはゴム等の衝撃吸収材料から有底円筒状に形成されランプが挿入されることによりその基端部を被う緩衝部材と、該緩衝部材が嵌入され該緩衝部材を介してランプを保持する比較的硬質の合成樹脂製またはセラミック製の固定部材とからなり、該固定部材の底部にはプリント基板に貫設された係合孔へ配線パターン側から嵌入固定するための係合部を設けた構成からなるものである。
【０００７】
【作用】
ランプ用コネクタの固定部材に設けられた係合部をプリント基板の係合孔に嵌入することによりランプが固定される。また、打球によって衝撃が加えられても、この衝撃はランプの基端部を被う緩衝部材に吸収されてランプに直接加わるようなことはない。これにより、ランプが破損したり内部のフィラメントが切れるような故障も無くなる。
【０００８】
【実施例】
以下本発明に係るランプ用コネクタの一実施例を図面と共に説明する。図１は本発明が適用されるランプを装着したパチンコ機の風車である。該風車Ａは遊技盤面に取り付けられる取付板１の前面に、透明な合成樹脂製の回転体２が回転自在に軸支される。また、取付板１の裏側には一対の支持ピン３ａ，３ｂを介してランプ４，４を取り付けたプリント基板５が装着されている。そして、図２に示すように、両ランプ４，４を回転体２に臨ませると共に発光動作させて内側から照明するようにしている。
【０００９】
図３、図４はランプ４，４が取り付けられたプリント基板５の斜視図及び分解斜視図をそれぞれ示す。各ランプ４，４はバルブ（ガラス球）内に封入されたフィラメント６の端子６ａ，６ａを基端面から後方へ突出させている。７はランプ用コネクタであり、ランプ４の基端部を被う緩衝部材８と該緩衝部材８を介してランプ４を保持する固定部材９とからなっている。
【００１０】
前記緩衝部材８は、衝撃を吸収するゴム製からなり、かつランプ４の外径と略同じ内径を有する有底円筒状に形成されている。そして、ランプ４を先端開口１０に挿入することによりその基端部を被うようにしている。また、緩衝部材８の後端部の外周面に小径の段差部１１が環状に形成され、該段差部１１の後端縁には１８０度位置を違えて軸方向に対し直交する一対の係合片１２，１２が突設される。更に、緩衝部材８の後端面に、前記フィラメント６の各端子６ａ，６ａが挿通される通孔１３，１３が形成されている。
【００１１】
固定部材９は比較的硬質の合成樹脂製によって外形が六角短柱状に形成され、前面に緩衝部材８の段差部１１が嵌入し得る嵌合凹部１４が設けられる。そして、外周面には嵌合凹部１４と連通し、前記一対の係合片１２，１２が係合する係合溝１５，１５が開設されている。また、底壁１６裏面には、前記フィラメント６の各端子６ａ，６ａが貫通される引出孔１７，１７及び固定部材９をプリント基板５に固定するための係合部１８が設けられている。
【００１２】
該係合部１８は底壁１６裏面の中央から後方へ突設され、その両側後端縁にプリント基板５の裏面に係合する略扇状の係止爪片１９，１９が外側へ張り出されて設けられている。２０，２０は底壁１６の外周縁に各引出孔１７，１７に対応位置させて設けられた切欠きであり、各引出孔１７，１７から引き出されて折り曲げられた端子６ａ，６ａの先端部が各切欠き２０，２０に掛止されるようにしている。
【００１３】
プリント基板５は円板状からなり、その中心に風車Ａの支軸２１先端部が遊挿される透孔２２が開設されている。また、該透孔２２を挟んで両側にそれぞれ前記各ランプ用コネクタ７の係合部１８が嵌入し得る係合孔２３，２３が開設されている。該各係合孔２３，２３は中心の円孔２４ａの両側に前記各係止爪片１９，１９が嵌入し得る扇形状の係止用孔２４ｂ，２４ｂが連通状に形成されている。
【００１４】
プリント基板５の前面には、先端部が互いに両係合孔２３，２３の両側に位置する２本の配線パターン２５，２５が円弧状に形成される。これにより、プリント基板５にランプ４，４を固定した状態で、前記固定部材９の底壁１６裏面に引き出された各端子６ａ，６ａがそれぞれ電気的に接続されることになる。なお、２６ａは前記取付板１裏側の支持ピン３ａにプリント基板５を取り付けるためビス２７が挿通される取付孔であり、２６ｂは他方の支持ピン３ｂ先端に設けられた突起２８が嵌入する保持孔である。
【００１５】
そして、まずランプ４の基端部にランプ用コネクタ７の緩衝部材８を嵌着し、更に緩衝部材８を固定部材９に嵌入すると共に両係合片１２，１２を係合溝１５，１５に係合して一体に組み付ける。この状態で、図５、図６に示すように係合部１８をプリント基板５の前側、すなわち配線パターン側から係合孔２３へ嵌入し、ランプ用コネクタ７を図６の矢視方向へ回転させる。これにより、図７、図８に示すように両係止爪片１９，１９がプリント基板５の裏面で係止用孔２４ｂ，２４ｂの周縁に係合してランプ４がプリント基板５に固定される。他方のランプ４も同様の手順で取り付けられる。
【００１６】
通常、固定部材９を指先で摘んでランプ４をプリント基板５に取り付けるようにしているが、固定部材９の外周面には複数の平坦面（六面形状）を形成しているので、指先が掛かり易くランプの取り付けが簡単であり、しかも滑って落とすような危険も少ない。なお、本実施例では外周面が六角形状のものを示したが、他に四角形状，八角形状などであっても良く、更には円筒形の表面に平坦面を形成したものでも良い。
【００１７】
また、ランプ４をプリント基板５に対して表側の配線パターン２５側から取り付けるようにしているが、これは次の理由による。例えば風車Ａが遊技盤面に装着された状態では、プリント基板５が遊技盤裏側に臨む。ところが、遊技盤裏側は入賞球が流下するので、仮に遊技盤裏側に配線パターン２５，２５が臨んでいると球が接触してショートする危険が有ることから、通常プリント基板５が風車Ａに対し、前面すなわち配線パターン２５面を取付板１側に向けて取り付けられ、しかも、ランプ４，４はプリント基板５の前面に固定されるからである。
【００１８】
かくして、各ランプ４，４は緩衝部材８によって被われ、打球が当ってもその衝撃に充分耐えることができ、しかも固定部材９によりプリント基板５にしっかりと固定されることになる。なお、緩衝部材８の素材としては、一般の天然ゴムの他シリコーンゴム、アクリルゴムなどの合成ゴムが挙げられ、また固定部材９としては、合成樹脂以外にセラミックなどが挙げられる。
【００１９】
【発明の効果】
本発明に係るランプ用コネクタは上記構成よりなるものであるから、従来の如くプリント基板に接続ピンを突設することなくランプが取り付けられ、しかも、打球が当ってもその衝撃に充分耐え得ることができ、ランプの破損やフィラメントの切断等の事故が防止される。また、固定部材の外周面には指先が掛かる平坦面が設けられているので摘み易く、取付時に滑ってランプを落す危険も少ないといった有益な効果を有する。
【図面の簡単な説明】
【図１】本発明が適用される風車の斜視図。
【図２】同一部側面断面図。
【図３】ランプ用コネクタを介してランプをプリント基板に取付けた状態を示す斜視図。
【図４】同分解斜視図。
【図５】ランプを取り付ける状態を示すプリント基板の断面図。
【図６】同プリント基板の裏面図。
【図７】ランプを取り付けた状態を示すプリント基板の断面図。
【図８】同プリント基板の裏面図。
【符号の説明】
４            ランプ
５            プリント基板
７            ランプ用コネクタ
８            緩衝部材
９            固定部材
１８          係合部
２３          係合孔
２５          配線パターン
【図１】
0003570687.tif 000002
【図２】
0003570687.tif 000003
【図３】
0003570687.tif 000004
【図４】
0003570687.tif 000005
【図５】
0003570687.tif 000006
【図６】
0003570687.tif 000007
【図７】
0003570687.tif 000008
【図８】
0003570687.tif 000009